(57)【特許請求の範囲】
【請求項１】
電線が接続される端子部が設けられた計器本体に前記端子部を保護する端子部保護カバーを取り付ける端子部保護カバーの取付構造であって、
前記計器本体において端子部に近接する領域に奥方に向けて凹んだ凹部を設けるとともに、該凹部の内側に引掛受止部を設ける一方、前記端子部保護カバーに、前記凹部に挿入された状態で前記引掛受止部に係止される引掛係止部を設け、
前記引掛受止部には、前記凹部の手前側に面した当接面と、奥側に面した係止面とを形成し、
前記引掛係止部には、前記当接面に当接する境界面と、前記係止面に当接する係止面とを形成したことを特徴とする端子部保護カバーの取付構造。
【請求項２】
前記引掛係止部は、前方から奥方に向けて延在し、その奥側先端部が前記引掛受止部に係止される鉤状に形成されたことを特徴とする請求項１に記載の端子部保護カバーの取付構造。
【請求項３】
前記凹部の入口側に回転防止受止部を設ける一方、前記引掛係止部の一部として該引掛係止部の手前側部分に、前記回転防止受止部に係止され、前記端子部保護カバーの回転を防止する回転防止係止部を設けたことを特徴とする請求項１または２に記載の端子部保護カバーの取付構造。
【請求項４】
前記凹部に挿入され、かつ、前記引掛受止部に係止された引掛係止部を前面から支える計器カバーを前記計器本体に取り付けたことを特徴とする請求項１〜３のいずれか一つに記載の端子部保護カバーの取付構造。
【発明の詳細な説明】
【技術分野】
【０００１】
本発明は、計器本体に設けられた端子部を保護する端子部保護カバーの取付構造に関する。
【背景技術】
【０００２】
計器本体に端子部保護カバーを取り付けるためのネジ孔を設ける一方、端子部保護カバーに挿通孔を設け、端子部保護カバーの挿通孔に挿通したネジを計器本体のネジ孔にネジ止めすることにより、計器本体に端子部保護カバーを取り付けた端子部保護カバーの取付構造が知られている（たとえば、特許文献１参照）。
【先行技術文献】
【特許文献】
【０００３】
【特許文献１】特開２００４−２４５７０４号公報
【発明の概要】
【発明が解決しようとする課題】
【０００４】
しかしながら、端子部保護カバーの挿通孔に挿通したネジを計器本体のネジ孔にネジ止めする作業は煩雑であり、電力量計などのように、高所に設置する場合には、作業効率が低下する。また、電力量計などは、余剰空間のない場所に設置されることが多く、このような場所におけるネジ止めする作業は、さらなる作業効率の低下を招くことになる。
【０００５】
本発明は、上記に鑑みてなされたものであって、計器本体に端子部保護カバーを容易に取り付けることができる端子部保護カバーの取付構造を提供することを目的とする。
【課題を解決するための手段】
【０００６】
上述した課題を解決し、目的を達成するために、本発明は、電線が接続される端子部が設けられた計器本体に前記端子部を保護する端子部保護カバーを取り付ける端子部保護カバーの取付構造であって、前記計器本体において端子部に近接する領域に奥方に向けて凹んだ凹部を設けるとともに、該凹部の内側に引掛受止部を設ける一方、前記端子部保護カバーに、前記凹部に挿入された状態で前記引掛受止部に係止される引掛係止部を設け、前記引掛受止部には、前記凹部の手前側に面した当接面と、奥側に面した係止面とを形成し、前記引掛係止部には、前記当接面に当接する境界面と、前記係止面に当接する係止面とを形成したことを特徴とする。
【０００７】
また、本発明は、上記発明において、前記引掛係止部が、前方から奥方に向けて延在し、その奥側先端部が前記引掛受止部に係止される鉤状に形成されたことを特徴とする。
【０００８】
また、本発明は、上記発明において、前記凹部の入口側に回転防止受止部を設ける一方、前記引掛係止部の一部として該引掛係止部の手前側部分に、前記回転防止受止部に係止され、前記端子部保護カバーの回転を防止する回転防止係止部を設けたことを特徴とする。
【０００９】
また、本発明は、上記発明において、前記凹部に挿入され、かつ、前記引掛受止部に係止された引掛係止部を前面から支える計器カバーを前記計器本体に取り付けたことを特徴とする。
【発明の効果】
【００１０】
本発明にかかる端子部保護カバーの取付構造は、端子部保護カバーに設けた引掛係止部を計器本体に設けた凹部に挿入し、その後、引掛係止部を凹部の内側に設けた引掛受止部に係止させれば、計器本体に端子部保護カバーが取り付けられる。これにより、本発明にかかる端子部保護カバーの取付構造は、ネジ止めする作業が必要なく、計器本体に端子部保護カバーを容易に取り付けることができる。
【図面の簡単な説明】
【００１１】
【図１】図１は、本発明の実施の形態である端子部保護カバーの取付構造を適用した電力量計を示す斜視図である。
【図２】図２は、図１に示した電力量計から計器カバーを取り外した状態を示す斜視図である。
【図３】図３は、図１に示した電力量計から計器カバーを取り外した状態を示す正面図である。
【図４−１】図４−１は、端子部保護カバーの取付構造を示す概念図であって、凹部に引掛係止部を挿入する前の状態を示す図である。
【図４−２】図４−２は、端子部保護カバーの取付構造を示す概念図であって、凹部に引掛係止部を挿入した状態を示す図である。
【図４−３】図４−３は、端子部保護カバーの取付構造を示す概念図であって、凹部に設けた引掛受止部に引掛係止部が係止された状態を示す図である。
【図５−１】図５−１は、端子部保護カバーの取付構造を示す断面図であって、凹部に引掛係止部を挿入する前の状態を示す図である。
【図５−２】図５−２は、端子部保護カバーの取付構造を示す断面図であって、凹部に引掛係止部を挿入した状態を示す図である。
【図５−３】図５−３は、端子部保護カバーの取付構造を示す断面図であって、凹部に設けた引掛受止部に引掛係止部が係止された状態を示す図である。
【図６】図６は、端子部保護カバーの取付構造を示す断面図であって、計器カバーを取り付けた状態を示す図である。
【発明を実施するための形態】
【００１２】
以下に、本発明にかかる端子部保護カバーの取付構造の実施の形態を図面に基づいて詳細に説明する。なお、ここでは、電力量計に適用した端子部保護カバーの取付構造を説明するが、電力量計にのみ適用されるものではなく、また、この実施の形態によりこの発明が限定されるものではない。
【００１３】
図１は、本発明の実施の形態である端子部保護カバーの取付構造を適用した電力量計を示す斜視図である。また、図２および図３は、図１に示した電力量計から計器カバーを取り外した状態を示す図であり、図４〜図６は、端子部保護カバーの取付構造を示す図である。
【００１４】
本発明の実施の形態である端子部保護カバーの取付構造を適用した電力量計１は、電力を計量し積算する計器である。電力量計１は、電力メーターあるいはメーターと称され、電力の売買取引上、重要な役割を担っている。
【００１５】
図１に示すように、本発明の実施の形態である端子部保護カバーの取付構造を適用した電力量計１は、計器本体２、端子部保護カバー３および計器カバー４を備えて構成してある。計器本体２の下側には、電線が接続される端子部（図示せず）が設けてあり、その左右両側には、図２に示すように、それぞれ、奥方に向けて凹んだ凹部２３が設けてある。
【００１６】
凹部２３は、図３に示すように、正面視略矩形に開口しており、その内側となる底面には、溝２３０と引掛受止部２３１とが設けてある（図４−１および図５−１参照）。溝２３０は、図４−１に示すように、外部と挿通する部分であり、底面の左右方向中央に手前側から奥側に向けて形成してある。引掛受止部２３１は、図４−１および図５−１に示すように、底面の奥行き方向、中程において階段状に突出しており、引掛受止部２３１の前面には平坦な当接面２３１Ａが形成され、引掛受止部２３１の後面には平坦な係止面２３１Ｂが形成されている。そして、凹部２３は、引掛受止部２３１において狭くなり、引掛受止部２３１の奥方において下側に広くなる。
【００１７】
また、凹部２３の入口側には、回転防止受止部２３２が設けてある。回転防止受止部２３２は、凹部２３の入口側となる側壁から凹部２３の内側に向けて四角柱状に突出するように設けてある。これにより、回転防止受止部２３２は、凹部２３の入口側において凹部２３の内側に階段状に突出することになり、回転防止受止部２３２の後面には平坦な係止面２３２Ｂが形成される。
【００１８】
端子部保護カバー３は、計器本体２に設けた端子部を雨水の浸入等から保護するためのもので、その上端両側に計器本体２に取り付けるための引掛係止部３１が設けてある（図３参照）。引掛係止部３１は、計器本体２に設けた凹部２３と対応する位置に設けてある。引掛係止部３１は、基部３２と頭部３３とを有している。基部３２は、上述した溝２３０に挿通する部分であり、頭部３３は、基部３２から上方に延在し、上述した凹部２３に収容される部分である。頭部３３は、断面矩形状に形成してあり、前方から奥方に向けて延在している。頭部３３は、手前側が厚く、奥側が薄く形成してあり、その境界には平坦な境界面３３Ａが形成される。また、頭部３３の奥側は、凹部２３に形成された引掛受止部２３１の上を通る厚さに形成してあり、その奥側先端部３３１が下方に突出する鉤状に形成してある。そして、鉤状に形成された奥側先端部３３１の内側には、平坦な係止面３３１Ａが形成される。これにより、頭部３３（引掛係止部３１）は、凹部２３に挿入された状態で引掛受止部２３１に係止される（図４−３および図５−３参照）。このとき、頭部３３の手前側と奥側との境界面３３Ａは、引掛受止部２３１の当接面２３１Ａに当接し、頭部３３の奥側先端部内側の係止面３３１Ａは、引掛受止部２３１の係止面２３１Ｂに当接する。
【００１９】
また、図４−１および図５−１に示すように、頭部３３の手前側には、回転防止係止部３３２が設けてある。回転防止係止部３３２は、凹部２３に設けた回転防止受止部２３２と対応する位置に設けてある。回転防止係止部３３２は、頭部３３の手前側において回転防止受止部２３２が嵌るように階段状に凹んでいる。そして、回転防止係止部３３２の前面には、平坦な係止面３３２Ａが形成される。これにより、頭部３３（引掛係止部３１）の奥側先端部３３１が引掛受止部２３１に係止された場合に、回転防止係止部３３２が回転防止受止部２３２に係止される（図４−３および図５−３参照）。このとき、回転防止係止部３３２の前面に形成された係止面３３２Ａは、回転防止受止部２３２の後面に形成された係止面２３２Ｂに当接する。
【００２０】
また、図６に示すように、計器カバー４の下側部分は、凹部２３に挿入され、かつ、引掛受止部２３１に係止された引掛係止部３１の頭部３３に当接し、引掛係止部３１を前面から支えている。また、計器カバー４の下端面は、端子部保護カバー３の上端に近接しており、端子部保護カバー３に下方から上方に向かう力が作用した場合には、端子部保護カバー３が計器カバー４の下端面に当たることになる。
【００２１】
上述した本発明の実施の形態である端子部保護カバーの取付構造を適用した電力量計１において、計器本体２に端子部保護カバー３と計器カバー４とを取り付ける場合には、まず、端子部保護カバー３の引掛係止部３１、頭部奥側先端部３３１を計器本体２に設けた凹部２３に合わせ（図４−１および図５−１参照）、そのまま、引掛係止部３１の頭部３３を凹部２３に挿入する（図４−２および図５−２参照）。
【００２２】
つぎに、図４−３および図５−３に示すように、計器本体２に対して端子部保護カバー３を下方に押し下げ、引掛係止部３１の頭部奥側先端部３３１を引掛受止部２３１に係止させるとともに、回転防止係止部３３２を回転防止受止部２３２に係止させる。これにより、計器本体２に端子部保護カバー３が取り付けられる。
【００２３】
そして、最後に、図６に示すように、計器本体２に計器カバー４を取り付ける。
【００２４】
上述した本発明の実施の形態である端子部保護カバーの取付構造を適用した電力量計１は、端子部保護カバー３に設けた引掛係止部３１の頭部３３を計器本体２に設けた凹部２３に挿入し、その後、端子部保護カバー３を下方に押し下げれば、引掛係止部３１の頭部奥側先端部３３１が引掛受止部２３１に係止され、回転防止係止部３３２が回転防止受止部２３２に係止される。これにより、計器本体２に端子部保護カバー３が取り付けられるので、端子部保護カバー３を取り付けるに際して、ネジ止めする作業が必要なく、計器本体２に端子部保護カバー３を容易に取り付けることができる。
【００２５】
また、引掛係止部３１の頭部奥側先端部３３１が引掛受止部２３１に係止された場合に、凹部２３の入口側に設けた回転防止受止部２３２が引掛係止部３１の頭部３３の手前側に設けた回転防止係止部３３２に係止されるので、引掛係止部３１の頭部３３は手前側と奥側とで支持されることになり、端子部保護カバー３の回転が防止され、端子部保護カバー３が回転して外れることはない。したがって、端子部に接続された電線に曲げ戻しの力が端子部保護カバー３の奥側から手前側に作用しても、端子部保護カバー３が回転して外れることはない。
【００２６】
また、凹部２３に挿入され、引掛受止部２３１に係止された引掛係止部３１の頭部３３を、計器本体２に取り付けた計器カバー４が前面から支えるので、端子部保護カバー３の意図しない脱落を確実に防ぐことができる。また、計器カバー４が引掛係止部３１の頭部３３を支えるので、端子部保護カバー３の意図しない脱落を防止するために、引掛係止部３１の頭部３３を支える部材を別途設ける必要がない。
【００２７】
さらに、計器カバー４の下端面は、端子部保護カバー３の上端に近接しており、端子部保護カバー３に下方から上方に向かう力が作用した場合には、端子部保護カバー３が計器カバー４の下端面に当たることになるので、端子部保護カバー３が上方に移動することがなく、これにより、端子部保護カバー３が持ち上げられて、脱落することはない。
【００２８】
なお、上述した実施の形態である端子部保護カバーの取付構造を適用した電力量計１では、計器本体２において端子部の左右両側に凹部２３を設けるものとしたが、計器本体２において端子部に近接する領域であれば、端子部の左右両側に限られるものではなく、適当な位置に凹部２３を設けることが可能である。
【符号の説明】
【００２９】
１  電力量計（計器）
２  計器本体
２３  凹部
２３０  溝
２３１  引掛受止部
２３１Ａ  当接面
２３１Ｂ  係止面
２３２  回転防止受止部
２３２Ｂ  係止面
３  端子部保護カバー
３１  引掛係止部
３２  基部
３３  頭部
３３Ａ  境界面
３３１  奥側先端部
３３１Ａ  係止面
３３２  回転防止係止部
３３２Ａ  係止面
４  計器カバー
【図１】
0005977068.tif 000002
【図２】
0005977068.tif 000003
【図３】
0005977068.tif 000004
【図４−１】
0005977068.tif 000005
【図４−２】
0005977068.tif 000006
【図４−３】
0005977068.tif 000007
【図５−１】
0005977068.tif 000008
【図５−２】
0005977068.tif 000009
【図５−３】
0005977068.tif 000010
【図６】
0005977068.tif 000011